(57)【要約】【課題】洗面所やトイレ等にて使用される手乾燥装置において、手に付着した水滴を吸引ノズルで吸引することにより水滴の飛散を防止するとともに、前記吸引ノズルの表面を清潔に保つことができる手乾燥装置を提供することを目的とする。【解決手段】本体内部に設けた吸引手段２と、前記吸引手段２に接続した風路３と、前記風路３に接続した吸引ノズル４と、前記吸引ノズル４を収納できる可動カバー５と、前記可動カバー５の内部に清掃手段６を有し、前記吸引手段２を動作させ、吸引ノズル４より手の表面に付着した水滴を吸引することにより、水滴の飛散を抑制するともに、使用後に前記吸引ノズルを前記可動カバー５に収納し外気と遮断するとともに、前記清掃手段６により前記吸引ノズル４の表面を清潔に保つことできる手乾燥装置１が得られる。【選択図】図１
2009112503.tif 000002
【特許請求の範囲】
【請求項１】
本体内部に設けた吸引手段と、前記吸引手段に接続した風路と、前記風路に接続した吸引ノズルと、前記吸引ノズルを収納できる可動カバー部と、前記可動カバー部の内部に清掃手段を有したことを特徴とした手乾燥装置。
【請求項２】
手を検知する手検知手段を設けた請求項１記載の手乾燥装置。
【請求項３】
清掃手段に隣接し、注水手段を設けた請求項１または２のいずれかに記載の手乾燥装置。
【請求項４】
吸引ノズルの表面に、撥水処理を施した請求項１から３のいずれかに記載の手乾燥装置。
【請求項５】
吸引ノズルの表面に、親水処理を施した請求項１から３のいずれかに記載の手乾燥装置。
【請求項６】
吸引ノズルの表面に、弾性材を使用した請求項１から３のいずれかに記載の手乾燥装置。
【請求項７】
吸引ノズルの表面に、抗菌処理を施した請求項１から３のいずれかに記載の手乾燥装置。
【請求項８】
吸引ノズルの近傍にオゾン発生装置を設けたことを特徴とした請求項１から７のいずれかに記載の手乾燥装置。
【請求項９】
吸引ノズルの近傍にマイナスイオン発生装置を設けたことを特徴とした請求項１から７のいずれかに記載の手乾燥装置。
【請求項１０】
吸引ノズルの近傍に殺菌灯を設けたことを特徴とした請求項１から７のいずれかに記載の手乾燥装置。
【請求項１１】
風路の内部にオゾン発生装置を設けたことを特徴とした請求項１から１０のいずれかに記載の手乾燥装置。
【請求項１２】
風路の内部にマイナスイオン発生装置を設けたことを特徴とした請求項１から１０のいずれかに記載の手乾燥装置。
【請求項１３】
風路の内部に殺菌灯を設けたことを特徴とした請求項１から１０のいずれかに記載の手乾燥装置。
【発明の詳細な説明】
【技術分野】
【０００１】
本発明は、洗面所やトイレ等にて手を洗い、濡れた手を乾燥させる手乾燥装置に関する。
【背景技術】
【０００２】
従来、この種の手乾燥装置では、手の表面に付着した水滴を吸引し、乾燥させるものが知られていた（例えば特許文献１参照）。
【０００３】
以下、その手乾燥装置について図１１を参照しながら説明する。
【０００４】
図に示すように、手乾燥装置１０１は本体内部に設けた吸引手段１０２と、前記吸引手段１０２に接続した風路１０３と、前記風路１０３に接続した吸引ノズル１０４を有し、前記吸引手段１０２を動作させることにより、前記吸引ノズル１０４より手の表面に付着した水滴を吸引し、手を乾燥させるものである。
【特許文献１】特開２００７−１０５１５５号公報（段落番号００５９，図１）
【発明の開示】
【発明が解決しようとする課題】
【０００５】
このような従来の手乾燥装置の方法では、手が触れる吸引ノズルに手を洗った水や空気中のほこりが付着して不清潔になるという課題があった。
【０００６】
本発明は、上記従来の課題を解決するもので、吸引ノズルを収納する可動カバー部と、前記可動カバー部の内部に清掃手段を設け、前記吸引ノズルの上に濡れた手を置いた時に、前記吸引ノズルより手の表面に付着した水滴を吸引できるとともに、前記吸引ノズルより手の表面に付着した水滴を吸引した後に、前記吸引ノズルを前記可動カバー部に収納し外気から遮断するとともに、前記清掃手段を動作させることにより、前記吸引ノズルの表面を清潔に保つことができる手乾燥装置を提供することを目的としている。
【課題を解決するための手段】
【０００７】
本発明の手乾燥装置は、上記目的を達成するために、本体内部に設けた吸引手段と、前記吸引手段に接続した風路と、前記風路に接続した吸引ノズルと、前記吸引ノズルを収納できる可動カバー部と、前記可動カバー部の内部に清掃手段を有する構成としたものである。
【０００８】
この手段により、吸引手段を動作させ、吸引ノズルより手の表面に付着した水滴を吸引することにより、水滴の飛散を抑制するともに、前記吸引ノズルを前記可動カバー部に収納し外気から遮断するとともに、前記清掃手段を動作させることにより、前記吸引ノズルの表面を清潔に保つことできる手乾燥装置が得られる。
【０００９】
また、、手を検知する手検知手段を設けたものである。
【００１０】
この手段により、手が有る時は可動カバー部を開けて吸引ノズルを出し、手が無い時は可動カバー部を閉めて吸引ノズルを収納できる手乾燥装置が得られる。
【００１１】
また、清掃手段に隣接し、注水手段を設けたものである。
【００１２】
この手段により、吸引ノズルを水洗いでき、前記吸引ノズルの表面を、清潔に保つことができる手乾燥装置が得られる。
【００１３】
また、吸引ノズルの表面に、撥水処理を施したものである。
【００１４】
この手段により、吸引ノズルに水分が付着しにくくなり、人の手が触れる前記吸引ノズルの表面を、清潔に保つことができる手乾燥装置が得られる。
【００１５】
また、吸引ノズルの表面に、親水処理を施したものである。
【００１６】
この手段により、手に付着した水分を吸着し易くなり、効率的に乾燥させることができる手乾燥装置が得られる。
【００１７】
また、吸引ノズルの表面に、弾性材を使用したものである。
【００１８】
この手段により、手が吸引ノズルに密着し、手に付着した水分を吸引し易くなり、効率的に乾燥させることができる手乾燥装置が得られる。
【００１９】
また、吸引ノズルの表面に、抗菌処理を施したものである。
【００２０】
この手段により、吸引ノズルの表面に細菌が繁殖し難くなり、人の手が触れる前記吸引ノズルの表面を清潔に保つことができる手乾燥装置が得られる。
【００２１】
また、吸引ノズル近傍にオゾン発生装置を設けたものである。
【００２２】
この手段により、オゾンを発生させ、細菌が繁殖し難くなり、吸引ノズルを清潔に保つことができる手乾燥装置が得られる。
【００２３】
また、吸引ノズル近傍にマイナスイオン発生装置を設けたものである。
【００２４】
この手段により、マイナスイオンを発生させ、細菌が繁殖し難くなり、吸引ノズルを清潔に保つことができる手乾燥装置が得られる。
【００２５】
また、吸引ノズル近傍に殺菌灯を設けたものである。
【００２６】
この手段により、マイナスイオンを発生させ、細菌が繁殖し難くなり、吸引ノズルを清潔に保つことができる手乾燥装置が得られる。
【００２７】
また、風路内部にオゾン発生装置を設けたものである。
【００２８】
この手段により、オゾンを発生させることにより細菌が繁殖し難くなり、風路内部を清潔に保つことができる手乾燥装置が得られる。
【００２９】
また、風路内部にマイナスイオン発生装置を設けたものである。
【００３０】
この手段により、紫外線を照射することにより細菌が繁殖し難くなり、風路内部を清潔に保つことができる手乾燥装置が得られる。
【００３１】
また、風路内部に殺菌灯を設けたものである。
【００３２】
この手段により、紫外線を照射することにより細菌が繁殖し難くなり、風路内部を清潔に保つことができる手乾燥装置が得られる。
【発明の効果】
【００３３】
本発明によれば、本体内部に設けた吸引手段と、前記吸引手段に接続した風路と、前記風路に接続した吸引ノズルと、前記吸引ノズルを収納する可動カバー部と、前記可動カバー部の内部に清掃手段を有し、前記吸引手段を動作させ、前記吸引ノズルより手の表面に付着した水滴を吸引することにより、水滴の飛散を抑制するともに、前記吸引ノズルより手の表面に付着した水滴を吸引した後に、前記吸引ノズルを前記可動カバー部に収納し、外気と遮断するとともに、前記清掃手段を動作させることにより、前記吸引ノズルの表面を清潔に保つことができる手乾燥装置を提供できる。
【００３４】
また、、手を検知する手検知手段を設けたものであり、手が有る時は可動カバー部を開けて吸引ノズルを出し、手が無い時は可動カバー部を閉めて吸引ノズルを収納できる手乾燥装置を提供できる。
【００３５】
また、清掃手段に隣接し、注水手段を設けたものであり、吸引ノズルを水洗いすることにより、前記吸引ノズルの表面を、清潔に保つことができる手乾燥装置を提供できる。
【００３６】
また、吸引ノズルの表面に、撥水処理を施したものであり、前記吸引ノズルに水分が付着しにくくなり、人の手が触れる前記吸引ノズルの表面を、清潔に保つことができる手乾燥装置を提供できる。
【００３７】
また、吸引ノズルの表面に、親水処理を施したものであり、手に付着した水分を吸着し易くなり、効率的に乾燥させることができる手乾燥装置を提供できる。
【００３８】
また、吸引ノズルの表面に、弾性材を使用したものであり、手が前記ローラー部に密着し、手に付着した水分を吸引し易くなり、効率的に乾燥させることができる手乾燥装置を提供できる。
【００３９】
また、吸引ノズルの表面に、抗菌処理を施したものであり、前記吸引ノズルの表面に細菌が繁殖し難くなり、人の手が触れる前記吸引ノズルの表面を清潔に保つことができる手乾燥装置を提供できる。
【００４０】
また、吸引ノズル近傍にオゾン発生装置を設けたものであり、オゾンを発生させ、細菌が繁殖し難くなり、前記吸引ノズルを清潔に保つことができる手乾燥装置を提供できる。
【００４１】
また、吸引ノズル近傍にマイナスイオン発生装置を設けたものであり、マイナスイオンを発生させ、細菌が繁殖し難くなり、前記吸引ノズルを清潔に保つことができる手乾燥装置を供給できる。
【００４２】
また、吸引ノズル近傍に殺菌灯を設けたものであり、紫外線を照射することにより細菌が繁殖し難くなり、前記吸引ノズルを清潔に保つことができる手乾燥装置を供給できる。
【００４３】
また、風路内部にオゾン発生装置を設けたものであり、オゾンを発生させることにより細菌が繁殖し難くなり、前記風路内部を清潔に保つことができる手乾燥装置を供給できる。
【００４４】
また、風路内部にマイナスイオン発生装置を設けたものであり、マイナスイオンを発生させることにより細菌が繁殖し難くなり、前記風路内部を清潔に保つことができる手乾燥装置を供給できる。
【００４５】
また、風路内部に殺菌灯を設けたものであり、紫外線を照射することにより細菌が繁殖し難くなり、前記風路内部を清潔に保つことができる手乾燥装置を提供できる。
【発明を実施するための最良の形態】
【００４６】
本発明の請求項１記載の発明は、本体内部に設けた吸引手段と、前記吸引手段に接続した風路と、前記風路に接続した吸引ノズルと、前記吸引ノズルを収納できる可動カバー部と、前記可動カバー部の内部に清掃手段を有し、前記吸引ノズルの上に濡れた手を置き、前記吸引手段を動作させ、前記吸引ノズルより手の表面に付着した水滴を吸引することにより、水滴の飛散を抑制することができる作用と、前記吸引ノズルより手に付着した水滴を吸引した後に、前記吸引ノズルを前記可動カバー部に収納し、外気と遮断するとともに、前記清掃手段を動作させることにより、前記吸引ノズルの表面を清潔に保つことできる作用を有する。
【００４７】
また、、手を検知する手検知手段を設けたものであり、手が有る時は可動カバー部を開けて吸引ノズルを出し、手が無い時は可動カバー部を閉めて吸引ノズルを収納できる作用を有する。
【００４８】
また、清掃手段に隣接し、注水手段を設けたものであり、吸引ノズルを水洗いすることにより、前記吸引ノズルの表面を、清潔に保つことができる作用を有する。
【００４９】
また、吸引ノズルの表面に、撥水処理を施したものであり、前記吸引ノズルに水分が付着しにくくなり、人の手が触れる前記吸引ノズルの表面を、清潔に保つことができる作用を有する。
【００５０】
また、吸引ノズルの表面に、親水処理を施したものであり、手に付着した水分を吸着し易くなり、効率的に乾燥させることができる作用を有する。
【００５１】
また、吸引ノズルの表面に、弾性材を使用したものであり、手が前記吸引ノズルに密着し、手に付着した水分を吸引し易くなり、効率的に乾燥させることができる作用を有する。
【００５２】
また、吸引ノズルの表面に、抗菌処理を施したものであり、前記吸引ノズルの表面に細菌が繁殖し難くなり、人の手が触れる前記吸引ノズルを清潔に保つことができる作用を有する。
【００５３】
また、吸引ノズル近傍にオゾン発生装置を設けたものであり、オゾンを発生させ、細菌が繁殖し難くなり、前記吸引ノズルを清潔に保つことができる作用を有する。
【００５４】
また、吸引ノズル近傍にマイナスイオン発生装置を設けたものであり、マイナスイオンを発生させ、細菌が繁殖し難くなり、前記吸引ノズルを清潔に保つことができる作用を有する。
【００５５】
また、吸引ノズル近傍に殺菌灯を設けたものであり、紫外線を照射することにより細菌が繁殖し難くなり、前記吸引ノズルを清潔に保つことができる作用を有する。
【００５６】
また、風路内部にオゾン発生装置を設けたものであり、オゾンを発生させることにより細菌が繁殖し難くなり、前記風路内部を清潔に保つことができる作用を有する。
【００５７】
また、風路内部にマイナスイオン発生装置を設けたものであり、マイナスイオンを発生させることにより細菌が繁殖し難くなり、前記風路内部を清潔に保つことができる作用を有する。
【００５８】
また、風路内部に殺菌灯を設けたものであり、紫外線を照射することにより細菌が繁殖し難くなり、前記風路内部を清潔に保つことができる作用を有する。
【００５９】
（実施の形態１）
図１に示すように、手乾燥装置１は内部に吸引手段２、たとえば吸引ポンプと、前記吸引手段２に接続した風路３と、前記風路３に接続した吸引ノズル４と、前記吸引ノズル４を収納できる可動カバー部５と、前記可動カバー部５の内部に設けられた、たとえば円筒形の回転ブラシによる清掃手段６により構成される。
【００６０】
上記構成において、前記吸引ノズル４の上に濡れた手を置き、前記吸引手段２を動作させ、前記吸引ノズル４より手の表面に付着した水滴を吸引することにより、水滴の飛散を抑制できるとともに、前記吸引ノズル４より手の表面に付着した水滴を吸引した後に、前記吸引ノズル４を前記可動カバー部５に収納し、外気と遮断するとともに、前記清掃手段６を動作させることにより、人の手が触れる前記吸引ノズル４の表面を清潔に保つことできる。
【００６１】
なお、本実施の形態１では、吸引ノズルが１個の手乾燥装置としているが、吸引ノズルを複数設け、手の両面より吸引する手乾燥装置においても同様の作用効果をもたらすことは言うまでもない。
【００６２】
（実施の形態２）
次に、本発明の実施の形態２について図面を参照しながら説明する。なお，実施の形態１と同一のものは同一番号を付し、その詳細な説明を省略する。
【００６３】
図２に示すように、手乾燥装置１は内部に吸引手段２、たとえば吸引ポンプと、前記吸引手段２に接続した風路３と、前記風路３に接続した吸引ノズル４と、前記吸引ノズル４を収納できる可動カバー部５と、前記可動カバー部５の内部に設けられた、たとえば円筒形回転ブラシによる清掃手段６と、手を検知する手検知手段７により構成される。手検知手段７は、手を検知できればよく、例えば、赤外線センサなどがある。
【００６４】
上記構成において、人が手を乾燥させようと前記手乾燥装置１に手を近づけた時に、前記手検知手段７が手が有ると検知し、前記可動カバー部５を開け、人が手の乾燥を終了し前記手乾燥装置１から手を遠ざけた時に前記手検知手段７が手が無いと検知し、前記可動カバー部５を閉めて前記吸引ノズル４を収納することできる。
【００６５】
（実施の形態３）
次に、本発明の実施の形態３について図面を参照しながら説明する。なお，実施の形態１，２と同一のものは同一番号を付し、その詳細な説明を省略する。
【００６６】
図３に示すように、手乾燥装置１は内部に吸引手段２、たとえば吸引ポンプと、前記吸引手段２に接続した風路３と、前記風路３に接続した吸引ノズル４と、前記吸引ノズル４を収納できる可動カバー部５と、前記可動カバー部５の内部に設けられた、たとえば円筒形回転ブラシによる清掃手段６と、前記清掃手段６に隣接した注水手段８により構成される。注水手段８としては、円筒形回転ブラシなどの清掃手段に注水、水が注げればよく、例えば、蛇口などがある。
【００６７】
上記構成において、前記吸引ノズル４の上に濡れた手を置き、前記吸引手段２を動作させ、前記吸引ノズル４より手の表面に付着した水滴を吸引することにより、水滴の飛散を抑制できるとともに、蛇口などの注水手段８により、円筒形回転ブラシなどの清掃手段に注水し、その水が注がれた円筒形回転ブラシが吸引ノズル４に接触しその濡れたブラシで吸引ノズル４を洗うことになり、すなわち、吸引ノズル４を回転ブラシ清掃することで、吸引ノズル４を水洗いし、人の手が触れる前記吸引ノズル４の表面を、清潔に保つことできる。
【００６８】
（実施の形態４）
次に、本発明の実施の形態４について図面を参照しながら説明する。なお，実施の形態１，２，３と同一のものは同一番号を付し、その詳細な説明を省略する。
【００６９】
図４に示すように、手乾燥装置１は内部に吸引手段２と、前記吸引手段２に接続した風路３と、前記風路３に接続した、表面が撥水処理、たとえばフッ素コーティングされた吸引ノズル４より構成される。
【００７０】
上記構成において、吸引手段２を動作させ、吸引ノズル４より手の表面に付着した水滴を吸引することにより、手に付着した水滴が衣服や床へ飛散することを抑制できるとともに、撥水処理により前記吸引ノズル４の表面に水分が付着しにくくなり、人の手が触れる前記吸引ノズルの表面を清潔に保つことできる。
【００７１】
（実施の形態５）
次に、本発明の実施の形態５について図面を参照しながら説明する。なお、実施の形態１、２，３，４と同一のものは同一番号を付し、その詳細な説明を省略する。
【００７２】
図４に示すように、手乾燥装置１は内部に吸引手段２と、前記吸引手段２に接続した風路３と、前記風路３に接続した、表面を親水処理、たとえば光触媒処理された吸引ノズル４により構成される。
【００７３】
上記構成において、吸引手段２を動作させ、吸引ノズル４より手の表面に付着した水滴を吸引することにより、手に付着した水滴が衣服や床へ飛散することを抑制できるとともに、前記吸引ノズル４の表面に、親水処理を施したものであり、手に付着した水分を吸着し易くなり、効率的に乾燥させることができる。
【００７４】
（実施の形態６）
次に、本発明の実施の形態６について図面を参照しながら説明する。なお、実施の形態１、２、３，４，５と同一のものは同一番号を付し、その詳細な説明を省略する。
【００７５】
図４に示すように、手乾燥装置１は内部に吸引手段２と、前記吸引手段２に接続した風路３と、前記風路３に接続した、表面を弾性材、たとえばゴムで処理した吸引ノズル４により構成される。
【００７６】
上記構成において、吸引手段２を動作させ、吸引ノズル４より手の表面に付着した水滴を吸引することにより、手に付着した水滴が衣服や床へ飛散することを抑制できるとともに、前記吸引ノズル４に、弾性材を使用したものであり、手が密着し、手に付着した水分を吸引し易くなり、効率的に乾燥させることができる。
【００７７】
（実施の形態７）
次に、本発明の実施の形態７について図面を参照しながら説明する。なお、実施の形態１、２、３、４、５，６と同一のものは同一番号を付し、その詳細な説明を省略する。
【００７８】
図４に示すように、手乾燥装置１は内部に吸引手段２と、前記吸引手段２に接続した風路３と、前記風路３に接続した、表面を抗菌処理、たとえば銀イオン処理された吸引ノズル４により構成される。
【００７９】
上記構成において、吸引手段２を動作させ、吸引ノズル４より手の表面に付着した水滴を吸引することにより、手に付着した水滴が衣服や床へ飛散することを抑制できるとともに、吸引ノズル４の表面に、抗菌処理を施したものであり、前記吸引ノズル４の表面に細菌が繁殖し難くなり、人の手が触れる前記吸引ノズル４の表面を清潔に保つことができる。
【００８０】
（実施の形態８）
次に、本発明の実施の形態８について図面を参照しながら説明する。なお、実施の形態１、２、３、４、５，６，７と同一のものは同一番号を付し、その詳細な説明を省略する。
【００８１】
図５に示すように、手乾燥装置１は内部に吸引手段２と、前記吸引手段２に接続した風路３と、前記風路３に接続した吸引ノズル４と、前記吸引ノズル４の近傍に設置されたオゾン発生装置９により構成される。
【００８２】
上記構成において、オゾン発生装置９を動作させることにより発生したオゾンが、吸引ノズル４での雑菌の繁殖を抑制し、前記吸引ノズル４を清潔に保つことができる。
【００８３】
（実施の形態９）
次に、発明の実施の形態９について図面を参照しながら説明する。なお、施の形態１、２、３、４、５、６，７，８と同一のものは同一番号を付し、その詳細な説明を省略する。
【００８４】
図６に示すように、手乾燥装置１は内部に吸引手段２と、前記吸引手段２に接続した風路３と、前記風路３に接続した吸引ノズル４と、前記吸引ノズル４の近傍に設置されたマイナスイオン発生装置１０により構成される。
【００８５】
上記構成において、マイナスイオン発生装置１０を動作させることにより発生したマイナスイオンが、吸引ノズル４での雑菌の繁殖を抑制し、前記ローラー部５と前記吸引ノズル４を清潔に保つことができる。
【００８６】
（実施の形態１０）
次に、発明の実施の形態１０について図面を参照しながら説明する。なお、施の形態１、２、３、４、５、６、７、８、９と同一のものは同一番号を付し、その詳細な説明を省略する。
【００８７】
図７に示すように、手乾燥装置１は内部に吸引手段２と、前記吸引手段２に接続した風路３と、前記風路３に接続した吸引ノズル４と、前記吸引ノズル４の近傍に設置された殺菌灯１１により構成される。
【００８８】
上記構成において、殺菌灯１１を点灯させることにより発生した紫外線が、吸引ノズル４での雑菌の繁殖を抑制し、前記吸引ノズル４を清潔に保つことができる。
【００８９】
（実施の形態１１）
次に、本発明の実施の形態１１について図面を参照しながら説明する。なお、実施の形態１、２、３、４、５、６、７、８、９、１０と同一のものは同一番号を付し、その詳細な説明を省略する。
【００９０】
図８に示すように、手乾燥装置１は内部に吸引手段２と、前記吸引手段２に接続した風路３と、前記風路３に接続した吸引ノズル４と、前記吸引ノズル４と、前記風路３の内部に設置されたオゾン発生装置９により構成される。
【００９１】
上記構成において、オゾン発生装置９を動作させることにより発生したオゾンが、風路３内部での雑菌の繁殖を抑制し、前記風路３内部を清潔に保つことができる。
【００９２】
（実施の形態１２）
次に、本発明の実施の形態１２について図面を参照しながら説明する。なお、実施の形態１、２、３、４、５、６、７、８、９、１０、１１と同一のものは同一番号を付し、その詳細な説明を省略する。
【００９３】
図９に示すように、手乾燥装置１は内部に吸引手段２と、前記吸引手段２に接続した風路３と、前記風路３に接続した吸引ノズル４と、前記風路３の内部に設置されたマイナスイオン発生装置１０により構成される。
【００９４】
上記構成において、マイナスイオン発生装置１０を動作させることにより発生したマイナスイオンが、風路３内部での雑菌の繁殖を抑制し、前記風路３内部を清潔に保つことができる。
【００９５】
（実施の形態１３）
次に、本発明の実施の形態１３について図面を参照しながら説明する。なお、実施の形態１、２、３、４、５、６、７、８、９、１０、１１、１２と同一のものは同一番号を付し、その詳細な説明を省略する。
【００９６】
図１０に示すように、手乾燥装置１は内部に吸引手段２と、前記吸引手段２に接続した風路３と、前記風路３に接続した吸引ノズル４と、前記風路３の内部に設置された殺菌灯１１により構成される。
【００９７】
上記構成において、殺菌灯１１を点灯させることにより発生した紫外線が、風路３内部での雑菌の繁殖を抑制し、前記風路３内部を清潔に保つことができる。
【産業上の利用可能性】
【００９８】
水滴の飛散を防止した乾燥ができることにより、水洗いした後の乾燥手法において、水滴の飛散を防止した乾燥を行うとともに、清潔を保つことができる用途などにも適用できる。
【図面の簡単な説明】
【００９９】
【図１】本発明の実施の形態１の手乾燥装置の構成を示す概略図
【図２】本発明の実施の形態２の手乾燥装置の構成を示す概略図
【図３】本発明の実施の形態３の手乾燥装置の構成を示す概略図
【図４】本発明の実施の形態４、５，６，７の手乾燥装置の構成を示す概略図
【図５】本発明の実施の形態８の手乾燥装置の構成を示す概略図
【図６】本発明の実施の形態９の手乾燥装置の構成を示す概略図
【図７】本発明の実施の形態１０の手乾燥装置の構成を示す概略図
【図８】本発明の実施の形態１１の手乾燥装置の構成を示す概略図
【図９】本発明の実施の形態１２の手乾燥装置の構成を示す概略図
【図１０】本発明の実施の形態１３の手乾燥装置の構成を示す概略図
【図１１】従来の手乾燥装置の構成を示す概略図
【符号の説明】
【０１００】
１      手乾燥装置
２      吸引手段
３      風路
４      吸引ノズル
５      可動カバー部
６      清掃手段
７      手検知手段
８      注水手段
９      オゾン発生装置
１０    マイナスイオン発生装置
１１    殺菌灯
１０１  手乾燥装置
１０２  吸引手段
１０３  風路
１０４  吸引ノズル
【図１】
2009112503.tif 000003
【図２】
2009112503.tif 000004
【図３】
2009112503.tif 000005
【図４】
2009112503.tif 000006
【図５】
2009112503.tif 000007
【図６】
2009112503.tif 000008
【図７】
2009112503.tif 000009
【図８】
2009112503.tif 000010
【図９】
2009112503.tif 000011
【図１０】
2009112503.tif 000012
【図１１】
2009112503.tif 000013